(57)【特許請求の範囲】
【請求項１】
加熱により内部蒸気圧が所定以上に上昇すると該蒸気圧によって開口する蒸気逃がし部が設けられた扁平状軟包装袋を収納するための直方体形状の包装箱であって、
包装箱の下面板の上部に、該下面板の左端部から右端部に到達する１本の直線状のミシン目線と、該ミシン目線の下部に間隔を空けて設けられ、下面板の左端部から右端部に到達する下に凸の曲線状のミシン目線とによって形成された開封帯を開封除去することによって形成される開口部を有し、
前記直線状のミシン目線は、左右の側面板を経て、上面板の左端部および右端部まで延長されており、この両端部を結ぶ直線状の水平な折り曲げ線が上面板の上部に設けられており、
包装箱の下面板には、前記曲線状のミシン目線の中央下端部付近から出発して下面板の下端部付近に至る下面板の下端縁に垂直な折り曲げ線を有し、
前記下に凸の曲線状のミシン目線と前記下面板の下端縁に垂直な折り曲げ線とによって形成される起き上がり部を有することを特徴とする電子レンジ調理用包装箱。
【発明の詳細な説明】
【技術分野】
【０００１】
本発明は、電子レンジで加熱して喫食する食品を充填した軟包装袋を収納するための包装箱に関し、特に、軟包装袋を収納したままの状態で電子レンジで加熱することが可能な包装箱に関する。
【背景技術】
【０００２】
従来、食品を収納した軟包装袋を、開封することなく、電子レンジで加熱調理するために種々の技術が提案されている。この目的を達成するために第一に必要な技術は、アルミニウム箔のような導電性の材料を使用しない包装材料である。具体的な例としては、基材フィルムに酸化アルミニウムや酸化ケイ素を蒸着した無機蒸着フィルム等が挙げられる。
【０００３】
第二に必要な技術は、電子レンジで加熱する際に発生する水蒸気を安全に開放する技術である。この技術の例を挙げれば、包装袋に予め蒸気逃がし口を設けておき、手で開口してから加熱する方法がある。しかし開口し忘れた時には、包装袋が破裂したりする危険性があるため、より安全な方法として、発生する蒸気圧によって逃がし口が自動的に開口し、発生した水蒸気を開放する方法が提案されている。
【０００４】
蒸気逃がし口が自動的に開口する場合であっても、包装袋が水平な状態で加熱されると、開口と同時に、水蒸気と共に内容物が噴出してしまうという問題が残る。そこで、第三の技術として、逃がし口が上方を向くように包装袋を保持する方法が必要となる。
【０００５】
特許文献１に記載された電子レンジ用包装紙箱は、左右両側面板と上面板の上方に２本の平行した開封用ミシン目を設け、この開封用ミシン目を開封、除去した後、紙箱のふた部分を１８０°折り曲げて枕状にし、紙箱全体を傾斜させて保持できるようにしたものである。
【０００６】
特許文献１に記載された電子レンジ用包装紙箱は、加熱調理に当たって、事前に開封して蓋の部分を１８０°折り返すという操作が不可欠であり、万一この操作を怠ると、内容物が噴出する結果となる。
【０００７】
特許文献１には、さらに紙箱の開口部中央部から左右底面部に至る斜めの折り曲げ線を設けて、包装袋が膨張した時に、紙箱がそれに伴って無理なく膨らむようにする技術も併せて提案されている。
【０００８】
しかし、実際に電子レンジで加熱した場合、このような折り曲げ線だけでは、水蒸気によってぱんぱんに膨らんだ包装袋内部の熱の逃げ場がないため、取り扱い時にやけどをする危険性があった。
【先行技術文献】
【特許文献】
【０００９】
【特許文献１】特開２００５−１４９７６号公報
【発明の概要】
【発明が解決しようとする課題】
【００１０】
本発明の解決しようとする課題は、食品を充填した包装袋を収納した状態で電子レンジで加熱調理する電子レンジ調理用包装箱において、事前の準備操作が簡単かつ自然であるため操作忘れを起こし難く、さらに調理後の過熱した包装袋の取り出しが安全に行える電
子レンジ調理用包装箱を提案するものである。
【課題を解決するための手段】
【００１１】
上記の課題を解決するための手段として、請求項１に記載の発明は、加熱により内部蒸気圧が所定以上に上昇すると該蒸気圧によって開口する蒸気逃がし部が設けられた扁平状軟包装袋を収納するための直方体形状の包装箱であって、
包装箱の下面板の上部に、該下面板の左端部から右端部に到達する１本の直線状のミシン目線と、該ミシン目線の下部に間隔を空けて設けられ、下面板の左端部から右端部に到達する下に凸の曲線状のミシン目線とによって形成された開封帯を開封除去することによって形成される開口部を有し、
前記直線状のミシン目線は、左右の側面板を経て、上面板の左端部および右端部まで延長されており、この両端部を結ぶ直線状の水平な折り曲げ線が上面板の上部に設けられており、
包装箱の下面板には、前記曲線状のミシン目線の中央下端部付近から出発して下面板の下端部付近に至る下面板の下端縁に垂直な折り曲げ線を有し、
前記下に凸の曲線状のミシン目線と前記下面板の下端縁に垂直な折り曲げ線とによって形成される起き上がり部を有することを特徴とする電子レンジ調理用包装箱である。
【００１２】
本発明に係る電子レンジ調理用包装箱は、箱の下面板に、開封帯を開封除去することによって形成される開口部を有し、開口部は切り口が下に凸の形状をしているため、同じく下面板に設けられた下面板の下端縁に垂直な折り曲げ線とによって形成される起き上がり部を形成している。このため、加熱によって発生した蒸気圧により軟包装袋が膨張した場合に、この開口部の切り口を先端として起き上がり部が起き上がり、箱の上部に配置された包装袋の蒸気逃がし部が上方に持ち上がる。
【００１３】
また、開口部が下に広く開口しているため、電子レンジ加熱によって発生した熱が箱に閉じ込められることなく、円滑に放出される。
【発明の効果】
【００１４】
本発明に係る電子レンジ調理用包装箱は、加熱に先立って行う準備操作が、箱の下面板に設けられた２本のミシン目線によって形成された開封帯を開封して開口部を形成するだけの簡単かつ自然な操作だけで良いため、準備操作をし忘れることによって内容物が噴出するといった事故を未然に防止する効果がある。
【００１５】
また、箱の下面板の開口部は、下に広くなるように開口しているため、電子レンジ加熱によって包装袋内部に生じた熱が逃げ易くなり、箱から加熱された包装袋を取り出す際に、火傷を負うといった事故が生じ難いという効果がある。
【図面の簡単な説明】
【００１６】
【図１】図１は、本発明に係る電子レンジ調理用包装箱の一実施態様における上面板側を示した平面説明図である。
【図２】図２は、本発明に係る電子レンジ調理用包装箱の一実施態様における下面板側を示した平面説明図である。
【図３】図３は、図１、図２に示した実施態様における包装箱のブランクを示した平面説明図である。
【図４】図４は、本発明に係る電子レンジ調理用包装箱に内容物が充填された軟包装袋を収納し、電子レンジで加熱した場合の状態を示した断面説明図である。
【発明を実施するための形態】
【００１７】
以下、図面を参照しながら、本発明に係る電子レンジ調理用包装箱について詳細に説明する。図１は、本発明に係る電子レンジ調理用包装箱の一実施態様における上面板３側を示した平面説明図である。また図２は、同様に本発明に係る電子レンジ調理用包装箱の下面板４側を示した平面説明図である。また、図３は、図１、図２に示した実施態様における包装箱のブランクを示した平面説明図である。また、図４は、本発明に係る電子レンジ調理用包装箱１に内容物１５が充填された軟包装袋２を収納し、電子レンジで加熱した場合の状態を示した断面説明図である。以下これらの図を参照しながら説明する。
【００１８】
本発明に係る電子レンジ調理用包装箱１は、加熱により内部蒸気圧が所定以上に上昇すると該蒸気圧によって開口する蒸気逃がし部１６が設けられた扁平状軟包装袋２を収納するための直方体形状の包装箱である。
【００１９】
図３に示したように、上面板３には、折罫線を介して側面板５および６が連設されており、側面板５を介して下面板４が連設されている。下面板４には、糊代７が連設されており、側面板６と貼り合せ、底面板、天面板、フラップを組み立てることにより、包装箱が形成される。
【００２０】
図２に示したように、包装箱１の下面板４の上部には、下面板４の左端部から右端部に到達する１本の直線状のミシン目線８と、ミシン目線８の下部に間隔を空けて設けられ、下面板４の左端部から右端部に到達する下に凸の曲線状のミシン目線９とによって形成された開封帯１０が設けられている。
【００２１】
この開封帯１０の左端部を持って、右方向に開封し除去することによって図４に示したように開口部１１が形成される。形成された開口部１１は、中央部が下方向に広がった形状となる。
【００２２】
開封帯１０の上側を構成する直線状のミシン目線８は、左右の側面板５、６を経て、上面板３の左端部および右端部まで延長されている。また、この延長されたミシン目線の両端部を結ぶ直線状の水平な折り曲げ線１２が上面板３の上部に設けられている。
【００２３】
このため、開封帯１０を開封除去すると、包装箱の上部は、容易かつ自然に、上面板３に設けられた折り曲げ線１２のみによって保持され、半開き状態になる。
【００２４】
包装箱１の下面板４には、前記曲線状のミシン目線９の中央下端部付近から出発して下面板４の下端部付近に至る下面板の下端縁に垂直な折り曲げ線１４が設けられており、曲線状のミシン目線９と下面板の下端縁に垂直な折り曲げ線１４とによって起き上がり部１３が形成されている。
【００２５】
図４に示したように、包装箱１を開封して、開口部１１を開き、電子レンジで加熱すると、内部の軟包装袋２が膨張し、起き上がり部１３を下側に押し出す。このとき包装箱１の上部が持ち上がるため、水蒸気逃がし部１６が開口して水蒸気１７が噴出しても、内容物１５が噴出することはない。
【００２６】
次に本発明に係る包装箱１に、加熱により内部蒸気圧が所定以上に上昇すると該蒸気圧によって開口する蒸気逃がし部１６が設けられた扁平状軟包装袋２を収納した包装体を使用する手順を示す。まず２本のミシン目線８、９によって形成された開封帯１０を開封して開口部１１を開く。次に包装体を下面板４を下にして電子レンジに入れ、所定時間加熱する。
【００２７】
このように、本発明に係る電子レンジ調理用包装箱にあっては、加熱に先立って行わなければならない準備操作が単純でかつ自然なものであるため、うっかり準備操作をし忘れる可能性は極めて小さい。
【００２８】
包装箱１の下面板４には、曲線状のミシン目線９の中央下端部付近から出発して下面板４の下端部付近に至る下面板の下端縁に垂直な折り曲げ線１４が設けられており、曲線状のミシン目線９と下面板の下端縁に垂直な折り曲げ線１４とによって起き上がり部１３が形成されている。
【００２９】
起き上がり部１３は、開封後に包装体が加熱された時、軟包装袋２が膨張することによって、下方向にせり出し、包装体の上部を持ち上げる作用を発揮する。
【００３０】
この時、図２や図３に示したように、下面板４の曲線状のミシン目線９の中央下端部付近から出発して下面板の下端部付近に至る下面板の下端縁に垂直な折り曲げ線１４が設けられているため、起き上がり部１３の膨張が円滑に行われる。
【００３１】
さらに加熱を続けると、図４に示したように、発生した水蒸気１７が蒸気逃がし部１６から噴出する。この時、軟包装袋２は、包装箱１と伴に蒸気逃がし部１６を上にして起き上がっているため、蒸気逃がし部１６から内容物１５が噴出することはない。
【００３２】
加熱が終了した後、包装箱１から軟包装袋２を取り出す際には、下面板側は、開口部１１が大きく開口しており、上面板側も包装箱の天面部分が、折り曲げ線１２をヒンジとして、開口しているため、熱がこもらず、容易に取り出すことができ、手に火傷を負う心配がない。
【００３３】
本発明に係る電子レンジ調理用包装箱１に用いる材料としては、通常紙箱に使用される材料が用いられる。具体的には、坪量４００〜８５０ｇ／ｍ2程度の段ボール、マニラボール紙、白ボール、チップボール等の板紙や、坪量１６０〜６００ｇ／ｍ2程度の両面カード紙、裏白ボール紙、アイボリー紙や、カートン原紙、カップ原紙等である。
【実施例】
【００３４】
＜実施例１＞
以下、実施例に基づいて、本発明に係る電子レンジ調理用包装箱について、さらに具体的に説明する。厚さ０．５ｍｍの白コートボール紙を用いて、図３に示したような包装箱ブランクを作成した。サック貼りを行った後、加熱により内部蒸気圧が上昇すると蒸気圧によって自動的に開口する蒸気逃がし部が設けられた扁平状軟包装袋にカレーを２００ｇ充填したものを挿入して封緘し、包装体を作成した。
【００３５】
得られた包装体を開封して開口部を開き、下面板側を下にして、電子レンジに挿入して、６００Ｗ、２分間の加熱を行った。包装袋の膨張により、起き上がり部が起き上がり、蒸気逃がし部が作動して蒸気が噴出した。内容物の噴出等の問題は生じなかった。次いで包装袋を包装箱から取り出したが、取り出しは容易であり、火傷の心配は無かった。
【００３６】
さらに、５人のモニターによるモニターテストを行った。箱に記載された使用方法に従って、開封、加熱の操作を一人１回づつ実施して貰ったところ、５回とも問題なく加熱調理ができた。
【００３７】
＜比較例１＞
比較例１として、開封帯の下部のミシン目線を曲線ではなく直線状にした以外は、実施例１と同様にして加熱操作を行った。包装袋の膨張により、蒸気逃がし部は持ち上げられていたため、内容物の噴出は無かったが、熱がこもっており、包装袋を包装箱から取り出す際に、容易に取り出すことができず、火傷を負う危険性があった。
【００３８】
＜比較例２＞
比較例２として、開封帯のない包装箱を作成し、内容物が噴出しないように、上部に枕を挿入して加熱した。内容物の噴出は無かったが、非常に熱がこもっており、包装袋を包装箱から取り出す際に、容易に取り出すことができず、火傷を負う危険性が極めて大きかった。
【００３９】
＜比較例３＞
比較例３として、特許文献１に記載された従来の包装箱を用意した。この包装箱は、開封帯が上面板にあり、開封後に包装箱の上部を下面板側に折り返して枕として使用するものである。この包装箱に、実施例１と同様に包装袋を挿入し、封緘した。実施例１と同様に、同じ５人によるモニターテストを実施したところ、折り返し忘れによる内容物の噴出事故が２回発生した。
【００４０】
以上のように、本発明に係る包装箱は、加熱に先立って行う準備操作が簡単であるため、人為的なミスによる内容物噴出事故が起こり難く、また加熱後の包装袋の取り出しも安全に行えるものである。
【符号の説明】
【００４１】
１・・・電子レンジ調理用包装箱
１Ｂ・・・ブランク
２・・・軟包装袋
３・・・上面板
４・・・下面板
５・・・側面板
６・・・側面板
７・・・糊代
８・・・直線状のミシン目線
９・・・曲線状のミシン目線
１０・・・開封帯
１１・・・開口部
１２・・・折り曲げ線
１３・・・起き上がり部
１４・・・折り曲げ線
１５・・・内容物
１６・・・蒸気逃がし部
１７・・・水蒸気
【図１】
0006753102.tif 000002
【図２】
0006753102.tif 000003
【図３】
0006753102.tif 000004
【図４】
0006753102.tif 000005